(57)【要約】【目的】  本発明は法面緑化工法に関するもので、急傾斜法面もしくは急勾配法面であっても金網や補強資材等の補助的な資材を必要としないで植生基盤と地山を一体化させ、法面の安定化を可能とした。【構成】  法面緑化工法において、泥炭もしくは草炭に腐植土抽出乳酸菌を加えた混合材料に必要な種子・種苗とを混合撹拌したものを植生基盤材とし、ナイロンを主とする極細の化学短繊維に水を加えて解繊した混合水と当該植生基盤材とを混合撹拌して成る植生基盤材を吹付機で法面に所定の厚さないし容量を吹き付ける構成。【選択図】      図１
2005163258.tif 000002
【特許請求の範囲】
【請求項１】
泥炭もしくは草炭に腐植土抽出乳酸菌を加えた混合材料に必要な種子・種苗とを混合撹拌したものを植生基盤材とし、ナイロンを主とする極細の化学短繊維に水を加えて解繊した混合水と当該植生基盤材とを混合撹拌して成る植生基盤材を吹付機で法面に所定の厚さないし容量を吹き付けることを特徴とする法面緑化工法。
【請求項２】
植生基盤材に対して容積比で２．０〜２０．０％の用水にナイロンを主とする極細の化学短繊維（主にナイロン）を１.０〜４.０ g／lの割合で加えて混合・攪拌して、極細の短繊維を解繊することを特徴とする法面緑化工法。
【請求項３】
植生基盤材に対して容積比で２．０〜２０．０％の用水を水槽に入れ，水槽の大きさに応じて用水を鉛直方向に流速３.０ ｍ／sec以下の層流状の流れを維持し、これにナイロンを主とする極細の化学短繊維を投入して、水の流動力で解繊させ，短繊維が空気を取り込まないようにすることを特徴とする法面緑化工法。
【発明の詳細な説明】
【技術分野】
【０００１】
本発明は法面緑化工法に関するもので、急傾斜法面もしくは急勾配法面であっても金網や補強資材等の補助的な資材を必要としないで植生基盤と地山を一体化させることにより、法面の安定化を可能とした。
【背景技術】
【０００２】
この種の岩盤緑化工法にあっては、厚さが５．０ｃｍ以上の植生基盤材を植物種子と混合させて傾斜地盤に吹き付けているのが一般的である。
【特許文献１】特開昭６０−００５９２３号公開公報
【特許文献２】特開平０７−３２７４８４号公開公報
【特許文献３】特開平０９−２００８０１号公開公報
【発明の開示】
【発明が解決しようとする課題】
【０００３】
ところが、上記の従来工法にあって、岩盤が急斜面の場合は植生基盤材を単に吹き付けただけでは地表面に対する固着力が弱く、植物種子や種苗が根活着するまでの期間に降雨にあったり、凍結による凍上があると、基盤層がずり落ちて緑化ができない。そのために、金網や補強資材を利用して吹き付けた基盤層を保護する工事が行われている。しかしながら、この保護工事は人手を要することと、資材費や施工費が高い欠点がある。
【０００４】
そこで本発明は従来の課題を解決し、且つ発明の目的を達成するようにした。
【０００５】
本発明の第１は法面の緑化工法において、泥炭もしくは草炭に腐植土抽出乳酸菌を加えた混合材料に必要な種子・種苗とを混合撹拌したものを植生基盤材とし、ナイロンを主とする極細の化学短繊維に水を加えて解繊した混合水と当該植生基盤材とを混合撹拌して成る植生基盤材を吹付機で法面に所定の厚さないし容量を吹き付けるようにしたものである。
【０００６】
本発明の第２は法面の緑化工法において、植生基盤材に対して容積比で２．０〜２０．０％の用水にナイロンを主とする極細の化学短繊維（主にナイロン）を１.０〜４.０ g／1の割合で加えて混合・攪拌して、極細の短繊維を解繊するようにしたものである。
【０００７】
本発明の第３は法面の緑化工法において、植生基盤材に対して容積比で２．０〜２０．０％の用水を水槽に入れ，水槽の大きさに応じて用水を鉛直方向に流速３.０ ｍ／sec以下の層流状の流れを維持し、これにナイロンを主とする極細の化学短繊維を投入して、水の流動力で解繊させ，短繊維が空気を取り込まないようにしたものである。
【発明の効果】
【０００８】
本発明は上記の構成であるから次の効果がある。すなわち、泥炭若しくは草炭は保水力が高く、砂漠緑化でも利用されている資材である。また、ナイロン製極細短繊維はモルタル剥離防止用に利用されていて、モルタルの強度を高める性質がある。この両方の特長を活かして、金網や補強資材等の補助的な資材を必要としないで、急傾斜地盤に所定の厚さで植生基盤材を地盤と一体化することができる。従って、従来の吹付層に比べて少なくとも約半分の吹付層厚さで済み、きわめて薄く植生基盤材を付着固定できる。
【０００９】
また、本発明にあっては、乾燥に強い植物を組み合わせることによって、薄い植生基盤材で地表面を安定化させることができると共に、自然状態の植物遷移を助長して、周辺の現地性植物の侵入を容易にすることで、現地性の植生を復元できる効果がある。
【実施例】
【００１０】
次に本発明の実施例を説明する。１は植生基盤材、２は植生基盤材１を作るために泥炭もしくは草炭３に腐植土抽出乳酸菌４を加えてなる混合土、５は植物種子・種苗であり、これを混合・撹拌して植生基盤材１とする。６・６′は植生基盤材１を吹付機１２に搬送するコンベア、７〜９は植生基盤材１に加えて吹付材を作るための部材である。すなわち８は短繊維であり、通常は束になっているが、単一本の繊維は極細であり、且つ長さは１．０〜５．０ｃｍ程度に設定してある。またその化学短繊維の種類はナイロンを主とするが、他にポリエチレン、生分解プラスチック繊維等の化学繊維を用いることも可とし、且つその短繊維の太さは１．７〜３０.０デニール(denier)のものを用いる。前記の短繊維８と用水９を混合して混合水７を得る。１０は発電機、１１はコンプレッサ、１２は湿式の植生基盤材の吹付機、１３は揚水ポンプ、１４は水槽、１５は配電盤、１６は泥炭もしくは草炭３と混合水７と混合・撹拌した植生基盤材１を地盤Ｇに吹き付ける噴射ノズルを示す。
【００１１】
「具体的な施工例」
「施工順序」
(1)  泥炭若しくは草炭３に、腐植土抽出乳酸菌４を加えて改良した混合土２と必要な植物の種子５や種苗を撹拌して混合して植生基盤材１とする。そしてモルタル補強材として利用されている束になっている短繊維８を用水９と混合して混合水７を得る。
(2)  束になっている短繊維８に用水９で解繊させた混合水７を加えて植生基盤材１を得る。この場合、短繊維８の混合量は１．０〜４．０ｇ／１の割合に設定する。
(3)  岩盤斜面、急傾斜面、法枠工、コンクリート壁面、モルタル吹付面等の傾斜地盤Ｇに植生基盤材６を湿式の植生基盤材の吹付機１２を使って吹き付ける。
(4)  傾斜している地盤Ｇに目的に応じて厚さ１．０〜５．０ｃｍ程度に吹き付けて植生基盤層Ａを形成する。
【産業上の利用可能性】
【００１２】
本発明は宅地造成地やゴルフ場等の斜面の緑化工事にも適用できるから、金網や補強資材等の補助的な資材を必要としないで植生基盤と地山を一体化させることができ、法面の安定化が図れる。
【００１３】
また、本発明にあっては、施工工法を簡便にしてコストの削減を図ることができる。さらに、本発明に乾燥に強い植物を組み合わせることによって、薄い植生基盤材で地表面を安定化させることができると共に、自然状態の植物遷移を助長して、周辺の現地性植物の侵入を容易にすることで、現地性の植生を復元できる効果がある。
【図面の簡単な説明】
【００１４】
【図１】本願発明の実施例を示す説明図である。
【符号の説明】
【００１５】
１……植生基盤材
２……混合土
３……泥炭もしくは草炭
４……腐植土抽出乳酸菌
５……種子
６……コンベア
７……混合水
８……短繊維
９……用水
１０……発電機
１１……コンプレッサ
１２……植生基盤材の吹付機
１３……水汲上げポンプ
１４……水槽
１５……配電盤
１６……噴射ノズル
【図１】
2005163258.tif 000003